(57)【要約】【課題】カップ収容用の凹部を深く形成するといった必要をなくし、または少なくしながらも、背の高いカップにも好適に対応することができるとともに、構造が簡易であり、かつ耐久性にも優れるカップホルダを提供する。【解決手段】車内に設けられるカップホルダＨであって、カップ収容用の有底かつ上面開口状の凹部１と、この凹部１に嵌入される筒状のホルダ本体２と、を備えており、ホルダ本体２の外周面および凹部１の内周面には、互いに螺合するネジ部１１，２１が形成され、ホルダ本体２は、回転操作がなされることによって凹部１の上方への突出寸法を変更可能とされている。【選択図】  図２
2014069762.tif 000002
【特許請求の範囲】
【請求項１】
車内に設けられるカップホルダであって、
カップ収容用の有底かつ上面開口状の凹部と、
この凹部に嵌入される筒状のホルダ本体と、を備えており、
前記ホルダ本体の外周面および前記凹部の内周面には、互いに螺合するネジ部が設けられ、前記ホルダ本体は、回転操作がなされることによって前記凹部の上方への突出寸法を変更可能とされていることを特徴とする、カップホルダ。
【請求項２】
請求項１に記載のカップホルダであって、
前記凹部は、コンソールに設けられ、
前記ホルダ本体の上面部は、前記コンソールの上面のうち、前記凹部の周辺部の高さと略面一状の高さに設定可能とされている、カップホルダ。
【発明の詳細な説明】
【技術分野】
【０００１】
本発明は、たとえば乗用車などの車内に設けられ、カップ（飲料容器）を保持するのに用いられるカップホルダに関する。
【背景技術】
【０００２】
カップホルダとしては、たとえばコンソールに上面開口状の凹部を形成し、この凹部にカップを収容させて起立保持可能としたものが広く知られている。ところが、このような構造のカップホルダにおいては、背の高いカップを安定的に起立保持させるには、凹部を深く形成しなければならない不利がある。
そこで、従来においては、たとえば特許文献１に記載のものがある。同文献に記載されたカップホルダは、側面視Ｖ字状に形成された保持部材を、カップ設置領域において上下方向にスライド可能に設けたものである。このような構成によれば、カップの背の高さに応じて、保持部材の高さを調整することができ、深い凹部を設ける必要をなくすことが可能である。
【０００３】
しかしながら、特許文献１に記載のカップホルダにおいては、背の高いカップに対応させようとすると、保持部材の上下方向のサイズをかなり大きくする必要がある。このため、保持部材をカップ設置領域の下方に下降させた際には、カップ設置領域の下方において保持部材が大きく嵩張る。したがって、カップ設置領域の下方に、保持部材を配置させるための広いスペースを確保しなければならず、この点において苦慮することとなる。
また、特許文献１においては、側面視Ｖ字状のアーム状に形成された保持部材を高さ調整可能に上下動作させる構造であるために、保持部材の強度・耐久性が比較的弱いものとなり、使用時に破損する虞が大きい。
【先行技術文献】
【特許文献】
【０００４】
【特許文献１】特開平１１−２０８３５０号公報
【発明の概要】
【発明が解決しようとする課題】
【０００５】
本発明は、前記したような事情のもとで考え出されたものであり、カップ収容用の凹部を深く形成するといった必要をなくし、または少なくしながらも、背の高いカップにも好適に対応することができるとともに、構造が簡易であって、耐久性にも優れるカップホルダを提供することを、その課題としている。
【課題を解決するための手段】
【０００６】
上記の課題を解決するため、本発明では、次の技術的手段を講じている。
【０００７】
本発明により提供されるカップホルダは、車内に設けられるカップホルダであって、カップ収容用の有底かつ上面開口状の凹部と、この凹部に嵌入される筒状のホルダ本体と、を備えており、前記ホルダ本体の外周面および前記凹部の内周面には、互いに螺合するネジ部が設けられ、前記ホルダ本体は、回転操作がなされることによって前記凹部の上方への突出寸法を変更可能とされていることを特徴としている。
【０００８】
このような構成によれば、次のような効果が得られる。
第１に、背の高いカップを起立保持させる際には、ホルダ本体を上昇させて対応することが可能であるため、カップ収容用の凹部をさほど深く形成する必要はない。したがって
、カップホルダを設ける際の設計上などの制約が少なくなる。
第２に、通常時においては、ホルダ本体の突出高さを小さくしておくことにより、カップホルダが嵩張らないようにすることができる。この場合、ホルダ本体は、カップ収容用の凹部内に嵌入させておくことができるために、特許文献１とは異なり、ホルダ本体（保持部材）がカップ設置領域の下方に大きく嵩張るようなこともない。
第３に、ホルダ本体は、筒状であって、単純な形状でよいため、その強度を高くすることが容易である。また、ホルダ本体とカップ収容用の凹部とは、ネジ結合されるが、このようなネジ部の強度も高いものとすることが可能である。したがって、特許文献１と比較して、各部の強度・耐久性を向上させることが容易に達成でき、破損し難くすることが可能である。
第４に、ホルダ本体の上方への突出高さは、ホルダ本体を回転させることによって無段階調整することが可能である。したがって、その使い勝手もよい。
第５に、全体の部品点数が少なく、各構成部材の製作も容易であるため、製造コストを廉価にすることもできる。
【０００９】
本発明において、好ましくは、前記凹部は、コンソールに設けられ、前記ホルダ本体の上面部は、前記コンソールの上面のうち、前記凹部の周辺部の高さと略面一状の高さに設定可能とされている。
【００１０】
このような構成によれば、カップホルダを使用しない際には、コンソールの上面をフラットまたはそれに近い状態とし、コンソール上に荷物などを置くといったことが可能となる。
【００１１】
本発明のその他の特徴および利点は、添付図面を参照して以下に行なう発明の実施の形態の説明から、より明らかになるであろう。
【図面の簡単な説明】
【００１２】
【図１】本発明に係るカップホルダの一例を示す要部斜視図である。
【図２】（ａ）は、図１のIIa−IIa断面図であり、（ｂ）は、その使用状態時の一例を示す要部断面図である。
【図３】図２に示したカップホルダの分解断面図である。
【発明を実施するための形態】
【００１３】
以下、本発明の好ましい実施の形態について、図面を参照して具体的に説明する。
【００１４】
図１に示すカップホルダＨは、自動車の２つのフロントシート間に設けられたフロアコンソールＣに設けられている。このカップホルダＨは、図２および図３に示すように、カップ収容用の凹部１と、ホルダ本体２とを有している。
【００１５】
凹部１は、フロアコンソールＣを構成する樹脂部材３により形成されており、平面視円形状であって、底部１０を有する上面開口状である。
【００１６】
ホルダ本体２は、樹脂製であり、略円筒状である。ただし、このホルダ本体２の外周面には、凹部１の内周面に設けられたネジ部１１に螺合可能なネジ部２１が設けられており、ホルダ本体２は、これらのネジ部１１，２１が螺合した状態で凹部１に嵌入されている。このことにより、ホルダ本体２は、回転操作がなされた際には、その回転角度に対応する寸法だけ上昇または下降し、凹部１の上方への突出寸法が調整可能となっている。
【００１７】
好ましくは、図２（ａ）に示すように、ホルダ本体２を最下降させた際には、ホルダ本体２の上面部が、フロアコンソールＣの上面のうち、凹部１の周辺領域の上面３０と略面
一となるように構成されている。本実施形態では、ホルダ本体２の上端に、フランジ２２が形成されており、このフランジ２２に触れてホルダ本体２の回転操作を行なうことが可能とされている。凹部１の上部には、ホルダ本体２を最下降させた際にフランジ２２を嵌入させるための凹状段部１２が形成されている。ただし、本発明では、フランジ２２や凹状段部１２を設けない構成とすることが可能である。フランジ２２の上面などのホルダ本体２の上部には、ホルダ本体２を回転操作する際の滑り止めとなる凹凸を適宜設けた構成とすることができる。また、ホルダ本体２の回転方向と上下動方向との関係を示す表示（たとえば、右回転は下降、左回転は上昇の旨を示す表示）を設けた構成とすることもできる。
【００１８】
次に、前記したカップホルダＨの作用について説明する。
【００１９】
まず、図２（ｂ）に示すように、背の高いカップ４（たとえば、５００ｍｌペットボトル）を起立保持させる際には、ホルダ本体２を上昇させて対応することが可能である。ホルダ本体２を最大限またはこれに近い高さに上昇させると、凹部１の底部１０からホルダ本体２の最上部までの高さを、凹部１の深さの２倍近くの寸法に設定することが可能である。したがって、凹部１を余り深く形成することなく、背の高いカップ４に対応することが可能である。凹部１を深く形成する必要をなくせば、カップホルダＨを設ける場合の設計上の制約などが少なくなる。
【００２０】
次いで、カップホルダＨを使用しない際には、ホルダ本体２を下降させて、上方への突出高さを小さくしておくことにより、カップホルダＨが邪魔にならないようにすることができる。本実施形態では、ホルダ本体２の上面部をフロアコンソールＣの上面３０と略面一の高さに設定できるために、フロアコンソールＣ上にたとえばバッグやその他の小物類を置いた場合に、これらを安定させておくこともできる。
【００２１】
ホルダ本体２は、略円筒状であって、その形状はシンプルであるため、ホルダ本体２の全体を強度の高いものに形成することができる。また、ホルダ本体２と凹部１とは、ネジ部１１，２１を介して結合されるが、このようなネジ結合部分の強度も高くすることが可能である。したがって、各部の耐久性を高くすることも容易であり、カップホルダＨを破損し難いものにすることができる。その他、ホルダ本体２の上方への突出高さは、ホルダ本体２を回転させることによって無段階調整することが可能であるため、その使い勝手もよい。さらに、カップホルダＨの部品点数は少ないために、その製造コストを廉価にすることも可能である。
【００２２】
本発明は、上述した実施形態の内容に限定されない。本発明に係るカップホルダの各部の具体的な構成は、本発明の意図する範囲内において種々に設計変更自在である。
【００２３】
本発明に係るカップホルダは、フロアコンソール以外のコンソールに設けることができることは勿論のこと、それ以外の場所(たとえば、インストルメントパネルや、アームレスト部など)に設けることも可能である。
【符号の説明】
【００２４】
Ｈ  カップホルダ
Ｃ  フロアコンソール（コンソール）
１  凹部
２  ホルダ本体
１１  ネジ部
２１  ネジ部
【図１】
2014069762.tif 000003
【図２】
2014069762.tif 000004
【図３】
2014069762.tif 000005